(57)【要約】【課題】部分的な光量不足を解消して照射範囲全体に亘ってフラットで良好な配光パターンを得ることができるストロボ装置を提供すること。【解決手段】ストロボ光を発光する光源２と、該光源２からのストロボ光を照射対象に向けて反射させるリフレクタ３と、該リフレクタ３で反射した反射光Ｌ２及び前記光源２からの直射光Ｌ１を透過させるレンズ４を備えたストロボ装置１において、前記レンズ４の縦断面表面の中央部４ａを平面とし、上下端部４ｂを光軸後ろ側に曲がった面とする。又、前記レンズ４の横断面表面の中央部を平面とし、左右端部を光軸後ろ側に曲がった面とする。【選択図】図１
2011022361.tif 000002
【特許請求の範囲】
【請求項１】
ストロボ光を発光する光源と、該光源からのストロボ光を照射対象に向けて反射させるリフレクタと、該リフレクタで反射した反射光及び前記光源からの直射光を透過させるレンズを備えたストロボ装置において、
前記レンズの縦断面表面の中央部を平面とし、上下端部を光軸後ろ側に曲がった面としたことを特徴とするストロボ装置。
【請求項２】
前記レンズの横断面表面の中央部を平面とし、左右端部を光軸後ろ側に曲がった面としたことを特徴とする請求項１記載のストロボ装置。
【発明の詳細な説明】
【技術分野】
【０００１】
本発明は、撮影のための補助光としてのストロボ光を照射対象に向けて照射するためのストロボ装置に関するものである。
【背景技術】
【０００２】
例えば、デジタルカメラ等に内蔵されるストロボ装置は、夜間や雨天時等のように周囲が暗い環境下においても所定の撮影有効範囲内での撮影を可能とするためにストロボ光を照射対象である被写体に向けて照射するものであって、その構成の一例を図５に示す。
【０００３】
即ち、図５は従来のストロボ装置の側断面図であり、図示のストロボ装置１０１は、幅方向（図５の紙面垂直方向）に長いキセノン管等の光源１０２と、該光源１０２からのストロボ光を照射対象である不図示の被写体に向けて反射させるリフレクタ１０３と、該リフレクタ１０３の前面（光出射面）を覆う透明なレンズ１０４を備えている。
【０００４】
上記構成を有するストロボ装置１０１において、光源１０２にて発光したストロボ光には、レンズ１０４を直接透過して不図示の被写体に照射される直射光Ｌ１’と、リフレクタ１０３の反射面にて反射して集光した後にレンズ１０４を透過して被写体に照射される反射光Ｌ２’とがあり、これらの直射光Ｌ１’と反射光Ｌ２’によって撮影に適した光量と配光特性が得られる。
【０００５】
ところで、ストロボ装置に関して特許文献１には、リフレクタの周面反射部の縦断面形状を円弧、楕円弧、直線によって順に構成するとともに、前記円弧と楕円弧の継ぎ目において共通の接線を有するように接続し、且つ、前記直線を前記楕円弧の接線とする構成が提案されている。この構成によれば、前記円弧の縦断面形状を有する円弧状湾曲反射面によって有効照射エリアの上端から該有効照射エリアの上下方向の中央エリアの下端までの範囲を照射し、前記楕円弧の縦断面形状を有する楕円弧状湾曲反射面によって前記中央エリアの下端部付近を照射し、前記直線の縦断面形状を有する平坦反射面によって前記中央エリアの下端部付近から中央エリアの中央部までの範囲を照射することができ、ストロボ装置の集光効率を高めることができる。
【先行技術文献】
【特許文献】
【０００６】
【特許文献１】特許第３７６００４３号公報
【発明の概要】
【発明が解決しようとする課題】
【０００７】
ところで、図５に示す従来のストロボ装置１０１においては、リフレクタ１０３は、できるだけ多くの光を制御することができるようその縦断面形状には楕円若しくは楕円に近い自由曲線が採用されるが、このリフレクタ１０３にて反射した反射光Ｌ２’は交差し、リフレクタ１０３はその上側の反射面がスクリーン等の照射対象の下側を照射し、下側の反射面が照射対象の上側を照射するよう設計されている。このため、レンズ１０４には反射光Ｌ２’が透過せず直射光Ｌ１’しか透過しない部分が上下端部１０４ｂに生じ、上下端部１０４ｂを透過した直射光Ｌ１’が上下に広がって照射範囲から外れるために照射範囲の上下端において光量不足が発生し、良好な配光パターンを得ることができないという問題がある。尚、従来のストロボ装置１０１の上下方向の配光パターン（光量分布）を図６に示す。
【０００８】
本発明は上記問題に鑑みてなされたもので、その目的とする処は、部分的な光量不足を解消して照射範囲全体に亘ってフラットで良好な配光パターンを得ることができるストロボ装置を提供することにある。
【課題を解決するための手段】
【０００９】
上記目的を達成するため、請求項１記載の発明は、ストロボ光を発光する光源と、該光源からのストロボ光を照射対象に向けて反射させるリフレクタと、該リフレクタで反射した反射光及び前記光源からの直射光を透過させるレンズを備えたストロボ装置において、前記レンズの縦断面表面の中央部を平面とし、上下端部を光軸後ろ側に曲がった面としたことを特徴とする。
【００１０】
請求項２記載の発明は、請求項１記載の発明において、前記レンズの横断面表面の中央部を平面とし、左右端部を光軸後ろ側に曲がった面としたことを特徴とする。
【発明の効果】
【００１１】
請求項１記載の発明によれば、レンズの反射光が透過しない上下端部を光軸後ろ側に曲がった面としたため、この部分を透過する直射光は上下方向内側に屈折して照射範囲の照射に供され、上下両端部の光量不足が解消されて照射範囲全体に亘ってフラットで良好な配光パターンが得られる。又、レンズの中央部は平面形状を成すため、レンズの加工コストがプリズムタイプのそれに比して低く抑えられる。
【００１２】
請求項２記載の発明によれば、レンズの反射光が透過しない左右端部も光軸後ろ側に曲がった面としたため、この部分を透過する直射光は左右方向内側に屈折して照射範囲の照射に供され、上下及び左右両端部部の光量不足が解消されて照射範囲全体に亘ってフラットで一層良好な配光パターンが得られる。
【図面の簡単な説明】
【００１３】
【図１】本発明に係るストロボ装置の縦断面図である。
【図２】図１のＡ−Ａ線断面図である。
【図３】本発明に係るストロボ装置の上下方向の配光パターン（光量分布）を示す図である。
【図４】本発明の別形態に係るストロボ装置の横断面図である。
【図５】従来のストロボ装置の側断面図である。
【図６】従来のストロボ装置の上下方向の配光パターン（光量分布）を示す図である。
【発明を実施するための形態】
【００１４】
以下に本発明の実施の形態を添付図面に基づいて説明する。
【００１５】
図１は本発明に係るストロボ装置の縦断面図、図２は図１のＡ−Ａ線断面図であり、図示のストロボ装置１は、デジタルカメラ等に内蔵されて夜間や雨天時等のように周囲が暗い環境下においても所定の撮影有効範囲内での撮影を可能とするためにストロボ光を照射対象である不図示の被写体に向けて照射するものであって、幅方向（図２の左右方向）に長いキセノン管等の光源２と、該光源２からのストロボ光を被写体に向けて反射させるリフレクタ３と、該リフレクタ３の前面（光出射面）を覆う透明なレンズ４を備えている。
【００１６】
上記リフレクタ３は、光源２の一部を背面から覆うよう配置されており、反射率の高い例えばアルミニウム板をプレス成形して得られ、なるべく多くの光を制御することができるようその縦断面形状には楕円若しくは楕円に近い自由曲線が採用されている。又、リフレクタ３の左右の側壁３ａは、図２に示すように、光源２からレンズ４に向かって広がるテーパ状に成形されている。
【００１７】
前記レンズ４は、側断面及び平断面コの字状断面を有して前記光源２とリフレクタ３を覆うプロテクタを兼ねており、リフレクタ３の前面を覆って光源からの光を透過させる前面部分は幅方向に長い矩形プレート状に成形されている。そして、図１に示すように、レンズ４の前面部分の縦断面表面の中央部４ａは平面で構成され、中央部４ａを除く上下端部４ｂは光軸後ろ側（図１の右側）に曲がった曲面で構成されている。
【００１８】
而して、夜間や雨天時等のように周囲が暗くて撮影に必要な十分な明るさが確保されない場合には、デジタルカメラ等の不図示のシャッターボタンの操作に同期してストロボ装置１の光源２からストロボ光が出射される。
【００１９】
光源２から出射されたストロボ光の一部は、図１に示すように、直接光Ｌ１として光源２からレンズ４を直接透過して不図示の被写体に照射され、残りはリフレクタ３の反射面にて反射して集光した後に反射光Ｌ２としてレンズ４を透過して被写体に照射される。ここで、リフレクタ３によって反射した反射光Ｌ２は交差し、リフレクタ３の上側の反射面にて反射した反射光Ｌ２が被写体の下側を照射し、下側の反射面にて反射した反射光Ｌ２が被写体の上側を照射する（便宜上、図１にはリフレクタ３の上側の反射面にて反射した反射光Ｌ２のみを示す）。このため、レンズ４の上下端部４ｂにおいては反射光Ｌ２が透過せず、直射光Ｌ１しか透過しないが（便宜上、図１にはリフレクタ３の下端部４ｂを透過する直射光Ｌ１のみを示す）、本実施の形態では、前述のようにレンズ４の反射光Ｌ２が透過しない上下端部４ｂを光軸後ろ側に曲がった曲面としたため、この上下端部４ｂを透過する直射光Ｌ１は、図１に示すように、上下方向内側に屈折して照射範囲（撮影有効範囲）の照射に供される。
【００２０】
従って、本実施の形態では、被写体における上下両端部の光量不足が解消され、照射範囲全体に亘ってフラットで良好な配光パターンが得られる。ここで、本実施の形態に係るストロボ装置１における上下方向の配光パターン（光量分布）を図３に示すが、この図３に示す結果を図６に示した従来のストロボ装置１０１における配光パターンと比較すれば明らかなように、本実施の形態に係るストロボ装置１においては図３に示すａ，ｂ部分における照度が高められる。
【００２１】
又、本実施の形態に係るストロボ装置１のレンズ４は、その中央部４ａが平面形状を成すため、該レンズ４の加工コストがプリズムタイプのそれに比して低く抑えられる。
【００２２】
尚、以上の実施の形態では、レンズ４の縦断面表面の上下端部４ｂを光軸後ろ側に曲がった曲面としたが、図４に示すように、レンズ４の横断面表面の中央部４ｃを平面とし、リフレクタ３の側壁３ａの反射面にて反射した反射光Ｌ２が透過しない左右端部４ｄを上下端部４ｂ（図１参照）と同様に光軸後ろ側に曲がった曲面とすれば、この左右端部４ｄを透過する直射光Ｌ１も左右方向内側に屈折して照射範囲の照射に供されるため、上下及び左右両端部の光量不足が解消されて照射範囲全体に亘ってフラットで一層良好な配光パターンが得られる。
【００２３】
ところで、以上の実施の形態では、レンズ４の縦断面表面の上下端部４ｂと横断面表面の左右端部４ｄを光軸後ろ端部を側に曲がった曲面としたが、曲面に代えて平面としても前記と同様の効果が得られる。
【００２４】
尚、本発明は、デジタルカメラ、フィルムカメラ、携帯電話等に搭載されるストロボ装置に対しても同様に適用可能である。
【符号の説明】
【００２５】
１      ストロボ装置
２      光源
３      リフレクタ
３ａ    リフレクタの側壁
４      レンズ
４ａ    レンズの縦断面表面の中央部
４ｂ    レンズの縦断面表面の上下端部
４ｃ    レンズの横断面表面の中央部
４ｄ    レンズの縦断面表面の左右端部
Ｌ１    直射光
Ｌ２    反射光
【図１】
2011022361.tif 000003
【図２】
2011022361.tif 000004
【図３】
2011022361.tif 000005
【図４】
2011022361.tif 000006
【図５】
2011022361.tif 000007
【図６】
2011022361.tif 000008